(57)【要約】      （修正有）【課題】宝石を宝石保管ケースから取り出すことなく、格納したままの状態で、宝石を拡大してそのカット状態等を確認して楽しむことができる宝石保管鑑賞用器具を提供する。【解決手段】この宝石保管鑑賞用器具は、宝石を収納する宝石保管ケース１０と、宝石保管ケース１０に格納した宝石を拡大して確認するカット確認器具７０との組み合わせで構成され、カット確認器具７０は、筒状の本体部の上部に凸レンズと目当て部を設けて構成され、宝石保管ケースは、互いに張り合わせる透明な板状の上ケース部１０と、透明な板状の下ケース部２０とで構成され、上ケース部１０と下ケース部２０の張り合わせ面に、宝石を格納する宝石格納部を形成する凹部を有する。【選択図】図１４
0003138351.tif 000002
【実用新案登録請求の範囲】
【請求項１】
宝石を収納する宝石保管ケースと、当該宝石保管ケースに格納した前記宝石を拡大して確認するカット確認器具との組み合わせて構成され、
前記カット確認器具は、
筒状の本体部の上部に凸レンズと目当て部を設けて構成され、
前記宝石保管ケースは、
互いに張り合わせる透明な板状の上ケース部と、透明な板状の下ケース部とで構成され、前記上ケース部と前記下ケース部の張り合わせ面に、前記宝石を格納する宝石格納部を形成する凹部を有することを特徴とする宝石保管鑑賞用器具。
【請求項２】
前記宝石格納部内に、ドーナツ状の透明部材に弾力性を有するシートを貼った宝石押さえ具を装着したことを特徴とする請求項１に記載の宝石保管鑑賞用器具。
【請求項３】
前記下ケース部の裏面に、前記カット確認器具下端の開口端部を挿入するドーナツ状の凹部を形成したことを特徴とする請求項１又は請求項２に記載の宝石保管鑑賞用器具。
【考案の詳細な説明】
【技術分野】
【０００１】
本考案は、ダイヤ等の宝石の保管と鑑賞を行うための宝石保管鑑賞用器具に関し、特に、宝石を保管した状態で宝石を拡大してカット状態の鑑賞や確認ができ、かつカット面に刻印された文字等を確認することを可能とする宝石保管鑑賞用器具に関する。
【背景技術】
【０００２】
従来、宝石を保管する場合、所有者が所持する、いわゆる宝石箱等の宝石保管ケースに宝石を収容して保管し、宝石のカット状態を確認する場合には、宝石保管ケースから宝石を一粒ずつ取り出して直接ルーペで拡大して確認するといった方法が一般的であった。
【０００３】
なお、宝石を拡大してカット面を確認するためのルーペとしては、例えば、登録実用新案第３１１０３２６号（特許文献１）等に開示される構造のものが提案されている。
【特許文献１】登録実用新案第３１１０３２６号
【考案の開示】
【考案が解決しようとする課題】
【０００４】
上述したように従来の宝石を一粒ずつルーペで拡大する確認判定方法では、宝石保管ケースからいちいち宝石を取り出して確認し、確認後にまた宝石保管ケースに戻すといった方法がとられているため、宝石を紛失しないように細心の注意を払う必要があり、その取り扱いが面倒であるという問題点があった。特に、多数の宝石のカットをルーペで確認する場合には、その取り扱いに非常に手間を要し、宝石を手軽に確認することができなかった。
【０００５】
（目的）
本考案の目的は、上記従来の欠点を解決するため、宝石を宝石保管ケースから取り出すことなく、格納したままの状態で、宝石を拡大してそのカット状態等を確認して楽しむことができる宝石保管鑑賞用器具を提供することにある。
【課題を解決するための手段】
【０００６】
上記目的を達成する本考案による宝石保管鑑賞用器具は、宝石を収納する宝石保管ケースと、当該宝石保管ケースに格納した前記宝石を拡大して確認するカット確認器具との組み合わせて構成され、前記カット確認器具は、筒状の本体部の上部に凸レンズと目当て部を設けて構成され、前記宝石保管ケースは、互いに張り合わせる透明な板状の上ケース部と、透明な板状の下ケース部とで構成され、前記上ケース部と前記下ケース部の張り合わせ面に、前記宝石を格納する宝石格納部を形成する凹部を有することを特徴とする。
【考案の効果】
【０００７】
本考案の宝石保管鑑賞用器具によれば、宝石を宝石保管ケースから取り出すことなく、格納したままの状態で、宝石を上方向と下方向の両方から拡大してそのカット状態等を確認して楽しむことができる。
【考案を実施するための最良の形態】
【０００８】
以下、本考案の実施の形態について図面を参照して詳細に説明する。本考案の好適な実施の形態による宝石保管鑑賞用器具の宝石ケースの外観斜視図を図１に示す。
【０００９】
図において、本実施の形態による宝石保管鑑賞用器具は、宝石保管ケース１０と、カット確認器具７０とで構成される。
【００１０】
宝石保管ケース１０は、透明の板状の上ケース部２０と、同様に透明の板状の下ケース部３０とを互いに張り合わせることによって構成されている。これら上ケース部２０と下ケース部３０はそれぞれプラスチック等の合成樹脂部材によって形成されている。上ケース２０と下ケース３０は、接着剤等で貼り合わせてもよいし、また、四隅をネジ等で固定することで互いに張り合わせてもよい。
【００１１】
図２は上ケース部２０の表面側の平面図、図３は裏面（張り合わせ面）側の平面図、図４は断面図である。
【００１２】
上ケース部２０の表面には、宝石格納エリア２１を示す線と、鑑定書貼付エリア２２と、防犯用タグ格納エリア２３を示す線が描かれている。また、上ケース部２０の裏面の宝石格納エリア２１に対応する位置には、図３及び図４に示すように、宝石格納凹部２４が形成されている。
【００１３】
図５は下ケース部３０の張り合わせ面側の平面図、図６はその裏面側の平面図、図７はその断面図である。
【００１４】
下ケース部３０の張り合わせ面には、宝石格納凹部３１と、防犯用タグ格納凹部３２が形成されている。宝石格納凹部３１は、上ケース部２０の宝石格納凹部２４と対応する位置に格納されており、防犯用タグ格納部３２は、上ケース部２０の防犯用タグ格納エリア２３に対応する位置にそれぞれ形成されている。
【００１５】
また、下ケース部３０の裏面には、後述するカット確認器具５０を装着するためのカット確認器具装着凹部３３が形成されている。
【００１６】
上ケース部２０の宝石格納凹部２４と、下ケース部３０の宝石格納凹部３１及びカット確認器具装着凹部３３は、上ケース部２０と下ケース部３０を張り合せた場合に、同心円状となるように形成されている。
【００１７】
図８に、上ケース部２０と下ケース部３０とを張り合わせた状態の断面図を示す。
【００１８】
図８に示すように、宝石保管ケース１０の内部には、上ケース部２０の宝石格納凹部２４と下ケース部３０の宝石格納凹部３１からなる宝石格納部４０が形成される。この宝石格納部４０に、図示のような状態で宝石９０を格納する。
【００１９】
また、上ケース部２０と下ケース部３０とを張り合わせる際に、下ケース部３０の宝石格納凹部３１側に、図９及び図１０に示すような宝石押さえ具５０を取り付けることで、宝石格納部４０内に格納した宝石９０を動かないように固定する。
【００２０】
宝石押さえ具５０は、図示のように、透明の合成樹脂部材等により中央に開口部５１を有するドーナツ状に形成されており、開口部５１の上面に弾力性を有するビニール等の透明のシート５２を貼り付けて構成されている。
【００２１】
この宝石押さえ具５０の直径は、宝石格納凹部３１の直径とほぼ等しくしてあり、宝石格納凹部３１内に適合して取り付けることができるようになって納る。
【００２２】
宝石９０を格納する場合には、シート５２を上ケース部２０側に向けた状態で宝石格納凹部３１内に取り付けることで、図８に示すように、宝石９０がシート５２の弾力によって上ケース部２０の宝石格納凹部２４側に押し付けられるため、宝石９０は安定して宝石格納部４０内に収容されることになる。
【００２３】
なお、図８に示すように、下ケース部３０の防犯用タグ格納部３２には、電波式等の防犯用タグ６０が収納される。
【００２４】
図１１は、カット確認器具７０の斜視図、図１２はその分解斜視図、図１３はその断面図である。
【００２５】
カット確認器具７０は、筒状の上本体部７１と下本体部７２、上本体部７１上部の開口部に取り付けられ、宝石を覗くための目当て部７３とで構成される。上記上本体部７１と下本体部７２、及び当て部７３は、例えば、プラスチック等の合成樹脂により形成されている。
【００２６】
上記目当て部７３と上本体部７１の間には、図１２、図１３に示すように、宝石全体を拡大してカット状態を確認するための所定の倍率（数倍）を有する凸レンズ７４が設けられている。
【００２７】
目当て部７３には、覗くための開口部７３ａと、器具をぶら下げるための紐や鎖を連結する孔を有する連結部７５が形成されている。
【００２８】
下本体部７２の上部には、上本体部７１の内径とほぼ等しい外径を有する嵌合部７２ａが形成されており、この嵌合部７２ａを上本体部７１の下端側に嵌め込むことで連結するようになっている。
【００２９】
嵌合部７２ａに対する上本体部７１の嵌め込みを上下に調整することで、ピントの調整が可能である。
【００３０】
なお、嵌合部７２ａの外周面と上本体部７１の内周面に互い噛み合うネジを形成することで、上本体部７１と下本体部７２を連結するようにしてもよい。その場合、互いのネジ込みの量を調整することでピントの調整が可能となる。
【００３１】
下本体部７２の下端の開口端部７２ｂは、下ケース部３０のカット確認器具装着凹部３３内に嵌め込むことができる寸法に形成されている。
【００３２】
次いで、上記のように構成される本実施の形態による宝石保管鑑賞用器具の使用方法について図を参照して説明する。
【００３３】
まず、図８に示したように、上ケース部２０と下ケース部３０を張り合わせることで、宝石格納部４０内に宝石９０を格納する。
【００３４】
この状態で、カット確認器具７０で宝石保管ケース１０の表側から宝石９０を拡大して確認する場合には、図１４に示すように、上ケース部２０表面に描かれている宝石格納エリア線２１の位置に、カット確認器具７０下端の開口端部７２ｂを位置合わせし、図１５及び図１６の状態とする。
【００３５】
この状態で、カット確認器具７０の目当て部７３（開口部７３ａ）から凸レンズ７４を通して宝石９０を覗く。
【００３６】
目当て部７３から宝石９０を覗いた状態を図１９に示す。本実施の形態の宝石保管ケース１０とカット確認器具７０を用いることにより、宝石９０を宝石保管ケース１０から取り出すことなく、格納した状態のまま、宝石９０を上方向から拡大してそのカット状態等を確認して楽しむことができる。
【００３７】
宝石保管ケース１０の裏側から宝石９０を確認する場合は、図１７に示すように、下ケース部３０の裏面に形成されているカット確認器具装着凹部３３に、カット確認器具７０下端の開口端部７２ｂを挿入することで、図１８の状態とする。
【００３８】
この状態で、カット確認器具７０の目当て部７３（開口部７３ａ）から凸レンズ７４を通して宝石９０を覗く。
【００３９】
この場合においても、図１９と同じような状態で、宝石９０を宝石保管ケース１０に格納したまま、宝石９０をその裏側（宝石の下方向）から拡大してカット状態を確認することができる。
【００４０】
なお、本考案は上述した実施の形態に限定されるものではなく、その技術思想の範囲内において様々に変形して実施することができる。
【００４１】
上記実施の形態において、カット確認器具７０の上本体部７１と下本体部７２を透明の部材によって形成すると共に、その内側に、所定の色（赤や青等の白黒以外の色）の透明又は半透明のフィルム材が丸めた状態で取り外し可能に配することも可能である。
【００４２】
このように、カット確認器具７０の透明又は半透明の本体部内に所定の色のフィルム材を配したことにより、外部から上本体部７１と下本体部７２内に入った光がフィルム材の色となって拡大された宝石９０に当たるため、カット状態によって色の濃い部分と薄い部分が現れる。すなわち、フィルム材の色の濃淡によって宝石９０のカット状態が浮き上がって見えるのである。
【００４３】
上記のように、凸レンズ７４によって拡大された宝石９０のカット状態がフィルム材の色による綺麗な濃淡となって現れて見えるため、宝石９０のカット状態の確認判定が極めて容易となり、カットの判定に経験を持たない者でもカット状態の確認判定ができるようになる。また、宝石９０のカット状態が綺麗な色の濃淡となって現れるため、見る楽しみも得られる。
【図面の簡単な説明】
【００４４】
【図１】本考案の好適な実施の形態による宝石保管ケースの外観斜視図である。
【図２】本考案の好適な実施の形態による宝石保管ケースの上ケース部の表面側の平面図である。
【図３】本考案の好適な実施の形態による宝石保管ケースの上ケース部の張り合わせ面の平面図である。
【図４】本考案の好適な実施の形態による宝石保管ケースの上ケース部の断面図である。
【図５】本考案の好適な実施の形態による宝石保管ケースの下ケース部の張り合わせ面側の平面図である。
【図６】本考案の好適な実施の形態による宝石保管ケースの下ケース部の裏面側の平面図である。
【図７】本考案の好適な実施の形態による宝石保管ケースの下ケース部の断面図である。
【図８】本考案の好適な実施の形態による宝石保管ケースの上ケース部と下ケース部とを張り合わせた状態の断面図である。
【図９】本考案の好適な実施の形態における宝石押さえ具の表側の斜視図である。
【図１０】本考案の好適な実施の形態における宝石押さえ具の裏側の斜視図である。
【図１１】本考案の好適な実施の形態によるカット確認器具の斜視図である。
【図１２】本考案の好適な実施の形態によるカット確認器具の分解斜視図である。
【図１３】本考案の好適な実施の形態によるカット確認器具の断面図である。
【図１４】本考案の好適な実施の形態による宝石保管鑑賞用器具によって宝石保管ケースの表側から宝石を確認する場合の使用方法を説明する図である。
【図１５】本考案の好適な実施の形態による宝石保管鑑賞用器具によって宝石保管ケースの表側から宝石を確認する場合の使用方法を説明する図である。
【図１６】本考案の好適な実施の形態による宝石保管鑑賞用器具によって宝石保管ケースの表側から宝石を確認する場合の使用方法を説明する図である。
【図１７】本考案の好適な実施の形態による宝石保管鑑賞用器具によって宝石保管ケースの裏側から宝石を確認する場合の使用方法を説明する図である。
【図１８】本考案の好適な実施の形態による宝石保管鑑賞用器具によって宝石保管ケースの裏側から宝石を確認する場合の使用方法を説明する図である。
【図１９】本考案の好適な実施の形態による宝石保管鑑賞用器具を使用して宝石を覗いた状態を示す図である。
【符号の説明】
【００４５】
１０：宝石保管ケース
２０：上ケース部
２１：宝石格納エリア線
２２：鑑定書貼付エリア線
２３：防犯用タグエリア線
２４：宝石格納凹部
３０：下ケース部
３１：宝石格納凹部
３２：防犯用タグ格納凹部
３３：カット確認器具装着凹部
４０：宝石格納部
５０：宝石押さえ具
５１：開口部
５２：シート
６０：防犯用タグ
７０：カット確認器具
７１：上本体部
７２：下本体部
７２ａ：嵌合部
７２ｂ：開口端部
７３：目当て部
７３ａ：開口部
７４：凸レンズ
７５：連結部
９０：宝石
【図１】
0003138351.tif 000003
【図２】
0003138351.tif 000004
【図３】
0003138351.tif 000005
【図４】
0003138351.tif 000006
【図５】
0003138351.tif 000007
【図６】
0003138351.tif 000008
【図７】
0003138351.tif 000009
【図８】
0003138351.tif 000010
【図９】
0003138351.tif 000011
【図１０】
0003138351.tif 000012
【図１１】
0003138351.tif 000013
【図１２】
0003138351.tif 000014
【図１３】
0003138351.tif 000015
【図１４】
0003138351.tif 000016
【図１５】
0003138351.tif 000017
【図１６】
0003138351.tif 000018
【図１７】
0003138351.tif 000019
【図１８】
0003138351.tif 000020
【図１９】
0003138351.tif 000021